(57)【要約】【課題】  従来の水耕栽培用パネルは栽培する植物に合わせて孔の大きさや間隔の異なるパネルを使用する必要があるため水耕栽培用パネルの種類が多くなり、パネルの保管に場所をとり、コスト高になっていた。【解決手段】  本件出願の水耕栽培用パネルは、水耕栽培用ベッドの上面開口部に被せるパネルに多数の植栽用の小孔と、小孔内径よりも大きな内径の植栽用の大孔が貫通開口され、小孔は数列に貫通開口され、大孔は小孔間の所望箇所に貫通開口され、大孔内径は小孔内径よりも大きなサイズの吸水材が貫通してベッドの底に落下する大きさであり、大孔はサイズが一種類又はサイズの異なるものが二種類以上とされたものである。前記小孔はパネルをベッドに被せるとベッドの底面の区画された二列以上の栽培液通路の上方に位置する箇所に数列に開口し、大孔は小孔間であって前記栽培液通路の上方に位置する箇所に開口した。【選択図】図１
2009034044.tif 000002
【特許請求の範囲】
【請求項１】
水耕栽培用ベッドの上面開口部に被せるパネルに多数の植栽用の小孔と小孔内径よりも大きな内径の植栽用の大孔が貫通開口され、小孔は数列に貫通開口され、大孔は小孔間の所望箇所に貫通開口され、その内径は小孔内径よりも大きなサイズの吸水材が貫通してベッドの底に落下する大きさであり、サイズが一種類又は二種類以上であることを特徴とする水耕栽培用パネル。
【請求項２】
請求項１記載の水耕栽培用パネルにおいて、小孔はパネルをベッドに被せるとベッドの底面の区画された二列以上の栽培液通路の上方に位置する箇所に数列に開口され、大孔は小孔間であって前記栽培液通路の上方に位置する箇所に開口されたことを特徴とする水耕栽培用パネル。
【発明の詳細な説明】
【技術分野】
【０００１】
本発明は水耕栽培用ベッドの上面開口部に被せる水耕栽培用パネル（「蓋」ともいう。）に関するものである。
【背景技術】
【０００２】
水耕栽培用ベッドに被せる水耕栽培用パネルには、植物が生育している吸水材（通常はウレタン）を差し込む植栽用の孔が多数開口されている。それら孔には各種サイズのものがあり、通常は孔よりも外径の大きなウレタンを差込むと孔の途中に係止してウレタンの下端部がパネル裏面よりも下まで突出し、ベッド内の栽培液が前記下端部からウレタンに吸収されて植物に供給されるようにしてある。通常、一枚の水耕栽培用パネルの孔は全て同じ大きさであり、等間隔で数列に開口されている。
【発明の開示】
【発明が解決しようとする課題】
【０００３】
従来の水耕栽培用パネルは栽培する植物に合わせて孔の大きさや間隔の異なるパネルを使用する必要がある。このため孔の大きさ、間隔等の異なる数種類の水耕栽培用パネルを用意しておき、栽培する植物の種類に合わせて水耕栽培用パネルを選択使用する必要がある。このため水耕栽培用パネルの種類が多くなり、パネルの保管に場所をとり、水耕栽培用パネルがコスト高になる。
【課題を解決するための手段】
【０００４】
本件発明は一つのパネルで、大きさの異なる二種類以上の植物を栽培することができる水耕栽培用パネルを提供することにある。
【０００５】
本件出願の水耕栽培用パネルは、水耕栽培用ベッドの上面開口部に被せるパネルに多数の植栽用の小孔と、小孔内径よりも大きな内径の植栽用の大孔が貫通開口され、小孔は数列に貫通開口され、大孔は小孔間の所望箇所に貫通開口され、その内径は小孔内径よりも大きなサイズの吸水材が貫通してベッドの底に落下する大きさであり、サイズが一種類又は二種類以上とされたものである。前記小孔はパネルをベッドに被せるとベッドの底面の区画された二列以上の栽培液通路の上方に位置する箇所に数列に開口し、大孔は小孔間であって前記栽培液通路の上方に位置する箇所に開口した。
【発明の効果】
【０００６】
本件出願の水耕栽培用パネルは次のような効果がある。
（１）一枚のパネルに植栽用の小孔と、吸水材が貫通してベッドの底に落下する大きさの大孔が開口され、大孔はサイズが一種類又はサイズの異なるものが二種類以上とされたため、一枚の水耕栽培用パネルで二種類以上の植物を生育することができ、栽培する植物の種類を変える度にパネルを交換する必要がない。このためパネルの種類を少なくすることができ、広い保管スペースを必要とせず、パネルのコストも安価になる。
（２）小孔及び大孔が、パネルをベッドの上方開口部に被せると、ベッド底面の二列以上に区画された栽培液通路の上方に位置する箇所に開口されているため、ベッド内を流れる栽培液の液量が少なくて夫々の栽培液通路内しか流れない場合であっても、小孔に差し込んだ吸水材やその吸水材の下方に張り出した根によって、又は、大孔内を通過させてベッドの底面の上に落とし込んだ吸水材によって、栽培液通路内の栽培液を確実に吸水して植物に供給することができる。
【発明を実施するための最良の形態】
【０００７】
（実施形態１）
本発明の水耕栽培用パネルの実施形態の一例を図１〜図４に基づいて説明する。この水耕栽培用パネル（以下単に「パネル」とする。）１は、図１に示すように、栽培液を循環させる水耕栽培用ベッド（以下単に「ベッド」とする。）２の上方開口部の上に被せるものである。
【０００８】
ベッド２は発泡スチロール製の上面開口の容器であって、幅方向両側に側壁３が形成され、側壁３の内面上部にパネル１を乗せる受け部４が形成されている。底面５の幅方向三箇所に半円弧状の区画凸条６が前記側壁３と平行に突設されて底面５を四列に区画して四本の栽培液通路７が形成されている。
【０００９】
本発明のパネル１は発泡スチロール製であり、前記ベッド２の両側壁３の受け部４間にセットできる幅にしてベッド２の上面開口部を被覆できるようにしてあり、植栽用の小孔１１が多数列に貫通開口され、その小孔１１の間の所望箇所に、小孔１１よりも内径の大きい植栽用の大孔１２が貫通開口されている。
【００１０】
前記小孔１１は図２に示すように同じ大きさのものが縦横に一定間隔で規則正しく配列されている。列数、孔間隔、孔径は栽培する植物に合わせて選択する。列間隔は小孔１１がベッド底面５の栽培液通路７の上に位置するように設定する。図示した小孔１１、大孔１２は共に円形であるが角形とか他の形状にすることもできる。小孔１１の孔径は、図３に示すように、植栽中の吸水材１４の外形よりも多少小さくして、それに差込まれる吸水材１４を途中に係止でき、吸水材１４の下部又はその吸水材１４の下方に張り出した根１５がベッド２内の栽培液（図示しない）に浸って栽培液を吸水できるようにしてある。
ここで、吸水材１４の下部を栽培液に浸すのは、主に吸水材１４に植えてある植物１３がまだ生育途上であって根１５が張り出していない場合である。各小孔１１は図１、図３に示すようにパネル１をベッド２の上面に被せると前記栽培液通路７の上方に位置する箇所に開口されて、その小孔１１に差込んだ吸水材１４の下部又はその吸水材１４の下方に張り出した根１５が栽培液通路７内に位置するようにしてある。
【００１１】
大孔１２の孔径は図１、図２に示すように小孔１１の孔径よりも大きくし、しかも、図３のように小孔１１の途中に係止する大きさの吸水材１４よりも大きくして、そのサイズの吸水材１４は図４のようにベッド２の底面５まで落下するようにしてある。大孔１２は図１、図２に示すように小孔１１の間に貫通開口されている。図１、図２に示すパネル１では、大孔１２は横一列に三個ずつ開口し、各列の三個の大孔１２を小孔１１の縦列（パネルの長さ方向の列）の二列おきに等間隔で開口して縦方向に千鳥配列に開口してある。このように開口することにより、夫々の大孔１２は図１、図４に示すようにベッド２に被せるとベッドの栽培液通路７の上方に配置され、大孔１２から落下させてベッド２の底面５の上に落とし込んだ吸水材１４が栽培液通路７内の栽培液に浸るようにしてある。大孔１２のサイズは、一種類又は二種類以上とすることができる。
【００１２】
本発明のパネル１をベッド２に被せて水耕栽培を行うには、長手方向に二以上連接されているベッド２の上にパネル１を被せ、図３に示すように、パネル１の小孔１１に植物１３が生えている吸水材１４を差し込んで途中に係止させ、ベッド２内に流れる栽培液を吸水材１４の下部又はその吸水材１４の下方に張り出した根１５に吸水させて植物１３を栽培する。大きく成長する植物を栽培する場合は、図４に示すように、植物１３が生えている吸水材１４を、大孔１２内を通過させてベッド２の底面５の上に落とし込み、ベッド２内を流れる栽培液を吸水材１４に吸水させて植物１３を栽培する。小孔１１と大孔１２には植物１３を別々に栽培することも同時に栽培することもできる。小孔１１も大孔１２も、パネル１をベッド２に被せると栽培液通路７の上方に位置する箇所に開口されているので、前記いずれの栽培方法であっても、栽培液通路７内しか流れない栽培液を確実に吸水して植物に供給できる。吸水材１４は吸水性のあるものであればウレタン以外のものを使用することもできる。
【００１３】
（その他の実施形態）
本発明の水耕栽培用パネルの基本的な構成態様は前記実施形態１記載のものであるが、パネルの厚さ、材質、形状、サイズ、小孔及び大孔のサイズ、開口数、配置、形状等は前記したものには限られず、任意とすることができる。従って、例えば、小孔及び大孔を前記した円形には限られず、四角形や三角形等の多角形に開口することや、小孔及び大孔の開口数を前記したものより増減させたり、配置を変えたりすることもできる。
【産業上の利用可能性】
【００１４】
本発明の水耕栽培用パネルは、水耕栽培用ベッドの上面開口部に被せるパネルには限られず、植物栽培用のプランターや鉢等用パネルとして応用することもできる。
【図面の簡単な説明】
【００１５】
【図１】本発明の水耕栽培用パネルの実施形態の一例を示す斜視説明図。
【図２】図１の水耕栽培用パネルを示す平面図。
【図３】図２の水耕栽培用パネルのＡ−Ａ断面説明図。
【図４】図２の水耕栽培用パネルのＢ−Ｂ断面説明図。
【符号の説明】
【００１６】
１  水耕栽培用パネル
２  水耕栽培用ベッド
３  側壁
４  受け部
５  底面
６  区画凸条
７  栽培液通路
１１  小孔
１２  大孔
１３  植物
１４  吸水材
１５  根
【図１】
2009034044.tif 000003
【図２】
2009034044.tif 000004
【図３】
2009034044.tif 000005
【図４】
2009034044.tif 000006